(57)【要約】【課題】  規則的な装飾パターンを用いて編集した画像データを出力する前に、装飾パターンによって発生しうるモアレを判定し、ユーザーが知り得るようにする。【解決手段】  パターン画像を用いて編集された画像にスクリーン処理を施し、画像形成装置に出力させる対象となる画像の判定処理を行う画像判定装置であって、前記編集に用いられるパターン画像を特定するパターン情報を取得する取得手段と、前記画像形成装置におけるスクリーン処理の方法を特定するスクリーン情報を取得する取得手段と、前記パターン情報とスクリーン情報とに基づいて、前記画像形成装置のスクリーン処理によって前記パターン画像を処理した際に発生するモアレを判定する判定手段と、前記判定手段による判定結果に基づいて、前記モアレが発生するパターン画像が認識可能な報知を報知手段に行わせる制御手段とを有する。【選択図】  図１
2013156850.tif 000002
【特許請求の範囲】
【請求項１】
パターン画像を用いて編集された画像にスクリーン処理を施し、画像形成装置に出力させる対象となる画像の判定処理を行う画像判定装置であって、
前記編集に用いられるパターン画像を特定するパターン情報を取得する取得手段と、
前記画像形成装置におけるスクリーン処理の方法を特定するスクリーン情報を取得する取得手段と、
前記パターン情報とスクリーン情報とに基づいて、前記画像形成装置のスクリーン処理によって前記パターン画像を処理した際に発生するモアレを判定する判定手段と、
前記判定手段による判定結果に基づいて、前記モアレが発生するパターン画像が認識可能な報知を報知手段に行わせる制御手段とを有することを特徴とする画像判定装置。
【請求項２】
前記パターン画像は、直線や曲線等からなるハッチングパターン、ドットパターン、或いは、特定の幾何学的な模様によるパターンであることを特徴とする請求項１に記載の画像判定装置。
【請求項３】
前記スクリーン情報は、スクリーン角であることを特徴とする請求項１または２に記載の画像判定装置。
【請求項４】
前記判定手段は、前記パターン画像の方向性と前記スクリーン角との角度差に基づいて、モアレを判定することを特徴とする請求項３に記載の画像判定装置。
【請求項５】
前記スクリーン処理は、入力された画像をＡＭスクリーンに変換することを特徴とする請求項１乃至４の何れか一項に記載の画像判定装置。
【請求項６】
前記制御手段は、前記報知手段が前記モアレが発生するパターン画像を前記画像の編集に使用できないようにすることにより、報知を行わせることを特徴とする請求項１乃至５の何れか一項に記載の画像判定装置。
【請求項７】
前記制御手段は、前記報知手段が前記モアレが発生するパターン画像を警告することにより、報知を行わせることを特徴とする請求項６に記載の画像判定装置。
【請求項８】
前記画像判定装置はさらに、
規則的なパターン画像を複数保持する保持手段と、
前記保持手段に保持された装飾パターンを用いて画像データを編集する編集手段とを有することを特徴とする請求項１乃至５の何れか一項に記載の画像判定装置。
【請求項９】
前記制御手段は、前記報知手段が前記判定手段によりモアレが発生すると判定されたパターン画像を使用した際には注意を表示するように報知を行わせることを特徴とする請求項８に記載の画像判定装置。
【請求項１０】
前記制御手段は、前記報知手段が前記判定手段によりモアレが発生すると判定されたパターン画像がある場合には、前記画像を前記編集手段に再入力することにより、報知を行わせることを特徴とする請求項８に記載の画像判定装置。
【請求項１１】
前記パターン情報を取得する取得手段は、前記編集された画像から編集に使用されパターン情報を検出することを特徴とする請求項１乃至７の何れか一項に記載の画像判定装置。
【請求項１２】
コンピュータに読み込み込ませ実行させることで、前記コンピュータを請求項１乃至１１の何れか一項に記載された画像判定装置として機能させることを特徴とするコンピュータプログラム。
【請求項１３】
パターン画像を用いて編集された画像にスクリーン処理を施し、画像形成装置に出力させる対象となる画像の判定処理を行う画像判定方法であって、
パターン画像を取得する取得手段と、スクリーン情報を取得する取得手段と、判定手段と、制御手段とを有し、
前記パターン画像を取得する取得手段が、前記編集に用いられるパターン画像を特定するパターン情報を取得し、
前記スクリーン情報を取得する取得手段が、前記画像形成装置におけるスクリーン処理の方法を特定するスクリーン情報を取得し、
前記判定手段が、前記パターン情報とスクリーン情報とに基づいて、前記画像形成装置のスクリーン処理によって前記パターン画像を処理した際に発生するモアレを判定し、
前記制御手段が、前記判定手段による判定結果に基づいて、前記モアレが発生するパターン画像が認識可能な報知を報知手段に行わせることを特徴とする画像判定装置。
【発明の詳細な説明】
【技術分野】
【０００１】
本発明は、規則的な装飾パターンを用いて編集した画像データのモアレを判定する画像判定装置及びその制御方法に関する。
【背景技術】
【０００２】
従来、規則的な装飾パターンを用いて画像を描画する機能を有する画像編集装置あるいは画像編集ソフトが知られている。ここで使用される装飾パターンは、例えば、直線、曲線等の線で描かれるハッチングパターンや、ドットパターン、特定の幾何学的な模様で描かれるパターン等である。画像編集装置を使用するユーザーは、希望する装飾パターンを選択し、このパターンを用いて図形などの各種画像を装飾する。そしてここで編集された画像を表す画像データは、画像表示装置あるいは画像形成装置にて出力される。
画像形成装置の方式として、例えば、電子写真方式、インクジェット方式があげられる。電子写真方式ではＡＭスクリーンが広く用いられ、規則的に配置された網点によって画像を形成する。そのため、画像編集装置を用いて編集された画像データはスクリーン処理を施され、画像形成装置が形成可能なスクリーンに変換される。
しかしながら、スクリーン処理において、規則的な装飾パターンは、スクリーンと干渉することによりモアレが発生することがある。このようなモアレは画質を著しく低下してしまう。
画像データにおける装飾パターンとスクリーンとのモアレを低減するための方法として、特許文献１に記載された方法がある。特許文献１では、モアレを発生させる描画コマンドを検出し、モアレを発生させる描画コマンドを、見かけ上モアレを低減できる描画コマンドに置換する方法が開示されている。
【先行技術文献】
【特許文献】
【０００３】
【特許文献１】特開２００７−４８１４７号公報
【発明の概要】
【発明が解決しようとする課題】
【０００４】
前述の特許文献１では、モアレの発生を低減できるものの、ユーザーの意思に関わらず装飾パターンやスクリーン処理が改変されてしまう。特に、装飾パターンをできるだけ忠実に再現したいユーザーにとっては、装飾パターンやスクリーン処理が自動的に改変されないことが望ましい。
本発明は、規則的な装飾パターンを用いて編集した画像データを出力する前に、装飾パターンによって発生しうるモアレを判定し、ユーザーが知り得るようにすることを目的とする。
【課題を解決するための手段】
【０００５】
前述の課題を解決するため本発明は、パターン画像を用いて編集された画像にスクリーン処理を施し、画像形成装置に出力させる対象となる画像の判定処理を行う画像判定装置であって、前記編集に用いられるパターン画像を特定するパターン情報を取得する取得手段と、前記画像形成装置におけるスクリーン処理の方法を特定するスクリーン情報を取得する取得手段と、前記パターン情報とスクリーン情報とに基づいて、前記画像形成装置のスクリーン処理によって前記パターン画像を処理した際に発生するモアレを判定する判定手段と、前記判定手段による判定結果に基づいて、前記モアレが発生するパターン画像が認識可能な報知を報知手段に行わせる制御手段とを有することを特徴とする。
【発明の効果】
【０００６】
本発明によれば、規則的な装飾パターンを用いて編集した画像データを画像形成装置で出力する前に、装飾パターンに発生しうるモアレを判定し、ユーザーが知り得るようにできる。
【図面の簡単な説明】
【０００７】
【図１】画像編集装置および画像形成装置において、主要な機能構成の例を示すブロック図
【図２】画像形成装置３におけるプリンタエンジン部５の詳細な構成を示す図
【図３】画像判定方法において、主要な機能構成の動作を示すフローチャート
【図４】画像判定方法において、装飾パターンとスクリーンの角度差を示す図
【図５】画像編集装置において装飾パターンの候補として画面に表示される装飾パターンの一例を示す図
【図６】装飾パターンとスクリーンとのモアレの程度を判定した結果を示す図
【図７】モアレの発生の程度が異なる装飾パターンを一例として示す図
【図８】第２の実施形態に適用可能な画像判定装置において、主要な機能構成の一連の処理を示すフローチャート図
【図９】スクリーン角を示す図
【発明を実施するための形態】
【０００８】
以下、添付図面を参照し、本発明の好適な実施形態について説明する。なお、以下の実施例において示す構成は一例にすぎず、本発明は図示された構成に限定されるものではない。
【０００９】
［第１の実施形態］
図１は、第１の実施形態に適用可能な画像判定装置において、主要な機能構成の例を示すブロック図である。画像判定装置１は、画像編集装置２と画像形成装置３から構成され、画像編集装置２において編集された画像データを、画像形成装置３が記録媒体上に形成する。画像編集装置２及び画像形成装置３における各部は、ハードウェアまたはソフトウェアまたはそれら両方で構成することができる。ソフトウェアで構成される場合、ＲＯＭ内に格納されているコンピュータプログラムとして実装される。また、情報の一時的な格納はＲＡＭ等のメモリを用いることができる。また、各部の処理はＣＰＵ等を用いて制御、実行される。以降、画像編集装置２及び画像形成装置３における機能構成について、順に詳細を説明する。
【００１０】
画像編集装置２は、図１に示すように、操作部６、画像表示部７、画像形成装置指定部８、装飾パターン候補格納部９、スクリーン情報取得部１０、装飾パターン候補選定部１１、装飾パターン選択部１２、画像形成指示部１３を有する。
【００１１】
操作部６は、マウスやキーボード、あるいはタッチパネル等の入力装置を用いて、画像編集に係わる入力指示を行う。画像表示部７は、画像編集に係わる各種情報を表示する。ディスプレイ、モニター等に相当する。画像形成装置指定部８は、画像編集装置２において編集した画像データを記録媒体上に出力する画像形成装置を指定する。画像形成装置指定部８は、指定した画像形成装置情報をスクリーン情報取得部１０および画像形成指示部１３に出力する。ただし、１台の画像形成装置が固定的に設定されている場合、既に画像を出力する画像形成装置は指定されているものとし、必要に応じて画像形成装置情報をスクリーン情報取得部１０および画像形成指示部１３に出力する。
【００１２】
装飾パターン候補格納部９は、画像編集において装飾のために用いられるパターン画像（以下、装飾パターンと呼ぶ）の候補をＲＯＭに格納する。この装飾パターンは、編集対象となる画像における指定領域（図形）を塗りつぶす規則的な模様である。この模様は、例えば、直線、曲線等の線からなるハッチングパターンや、ドットパターン、或いは、特定の幾何学的な模様パターンである。図５（ａ）は、画像表示部７に装飾パターンの候補として画面に表示された装飾パターンの一例を示す。このとき、図５（ａ）では、６通りの装飾パターンが候補として画面に表示されている。これは、画像形成装置部８が画像形成装置を指定する前に表示されている画面である。ここでは、装飾パターン候補格納部９に格納された装飾パターンの全てが表示されている。つまり装飾パターン候補格納部９には、６通りの装飾パターンが格納されている。
【００１３】
スクリーン情報取得部１０は、画像形成装置指定部８によって指定された画像形成装置３のスクリーン情報格納部１４にアクセスし、スクリーン処理に用いられるスクリーン情報を取得する。ここではスクリーン情報取得部１０が取得するスクリーン情報は、スクリーン角である。
【００１４】
装飾パターン選定部１１は、装飾パターン候補格納部９に格納された各装飾パターンから使用可能な装飾パターンを選定する。装飾パターンは、装飾パターンにスクリーン処理を施した結果、モアレが発生するか否か、あるいは、発生するモアレの程度に基づいて選定される。装飾パターン選定部１１は、スクリーン情報取得部１０が取得したスクリーン情報とからモアレを判定する。具体的な選定方法については、後述する。
【００１５】
装飾パターン選択部１２は、装飾パターン選定部１１によって選定された装飾パターンから操作部６を通じて所望の装飾パターンを選択して画像編集を行うことができる。
【００１６】
画像形成指示部１３は、装飾パターン選択部１２で選択された装飾パターンを用いて編集された画像を表す画像データを画像形成装置に出力するとともに、画像形成を指示する。
【００１７】
画像形成装置３は、プリンタコントローラ部４及びプリンタエンジン部５を有する。プリンタコントローラ部４は、入力画像格納部１４、スクリーン情報格納部１５、スクリーン処理部１６を有する。また、プリンタエンジン部５は、プリンタエンジン制御部１７を有する。
【００１８】
プリンタコントローラ部４における入力画像格納部１４は、画像編集装置２における画像形成指示部１３が画像形成を指示した画像データをＲＡＭ等のメモリへ一時的に格納する。スクリーン情報格納部１５は、入力画像格納部１４で格納した画像データに対して適用するスクリーン処理に用いられるスクリーン情報を格納する。ここではスクリーン情報として、スクリーン角、および閾値マトリクスが格納されている。閾値マトリクスには、予め設定された閾値が、入力される画像データの各画素に対応するように周期的に配置されている。画像データに対して、閾値マトリクスは、隙間なく繰り返し適用される。スクリーン処理部１６は、スクリーン情報格納部１５に格納された閾値マトリクスに基づき、入力画像格納部１４に格納された入力画像データに対してスクリーン処理を行う。具体的には、入力画像データの各画素値と各画素に対応する閾値とを比較することにより量子化する。その結果、入力画像データは、指定された画像形成装置が出力可能な周期性をもったスクリーンであるスクリーン処理後画像データに変換される。
【００１９】
プリンタコントローラ部４は、スクリーン処理後画像データをプリンタエンジン制御部１７に出力する。
【００２０】
第１の実施形態におけるプリンタコントローラ部は、ある特定の単色で表された画像データに対する処理を例に記載している。カラー画像を形成する場合は、スクリーン処理部１６におけるスクリーン処理が施される前に、一般的なカラーマッチング、カラー分解処理等の色分解の処理を行えばよい。
【００２１】
プリンタエンジン部５におけるプリンタエンジン制御部１７は、スクリーン処理部１６において生成されたスクリーン処理後の画像データに従って、記録媒体上へ画像を形成するためのエンジン制御を行う。なお、画像形成装置３は、画像編集装置２に対して複数台含む構成でもよく、例えば、有線ＬＡＮ、無線ＬＡＮ等のネットワークで相互に接続され、画像編集装置２は画像を形成する画像形成装置を任意に指定することができる。
【００２２】
図２は、画像形成装置３におけるプリンタエンジン部５の詳細な構成を示す。プリンタエンジン部５では、電子写真方式を用いて、以下のように画像が形成される。まず帯電器２０２が、感光ドラム２０１を帯電させた後、スクリーン処理後画像データに応じて露光器２０３が半導体レーザーを駆動し、感光ドラム２０１上を露光する。感光体２０１上に静電潜像が形成される。その後、現像器２０４が、感光ドラム２０１上の静電潜像を現像し、現像スリーブ２０７によって感光ドラム２０１上に均一なトナー像を形成する。そして、感光ドラム上のトナー像を転写器２０５が紙などの記録媒体上に転写し、定着器２０６によりトナー像を定着させる。
【００２３】
第１の実施形態では、説明を簡単にするために、単色の画像形成について説明した。この場合、画像形成ステーション（感光ドラム２０１、帯電器２０２、現像器２０４等を含む）は１つである。しかしながら、カラー画像形成装置の場合には、例えば、シアン、マゼンタ、イエロー、ブラックの各色に対する画像形成ステーションが転写器２０５上にその移動方向に沿って順次配列される。あるいは、１つの感光ドラム２０１の周囲に各色の現像器２０４を周囲に沿って配置されている場合もある。あるいは、回転可能な筐体に各色の現像器２０４が配置されている場合もある。このように、カラー画像形成装置の場合には、所望の現像器２０４を感光ドラム２０１に対向させ、所望の色の現像を行うようにする。
【００２４】
ここで、装飾パターンとスクリーンとの干渉により発生するモアレについて説明する。
【００２５】
図８は、スクリーン角を示している。スクリーン角は、周期的に配置されたドット（またはライン）がなす角である。ここでは、ドットスクリーンを用いるため、スクリーン角は２つ有する。右方向を０度として反時計回りを＋とするとスクリーン角は、５６度および−３４度であることがわかる。なお、ラインスクリーン角の場合、スクリーン角は１つである。
【００２６】
図７は、画像形成時に原稿モアレの発生の程度が異なる装飾パターンを一例として示す図である。図７（ａ）は、装飾パターン５０１に対してスクリーン処理をした結果を示す。装飾パターン５０１とスクリーン角の角度差は、３４度であり、図７（ａ）が示す結果には、モアレは発生していないことがわかる。一方、図７（ｂ）は、装飾パターン５０３に対してスクリーン処理をした結果を示す。装飾パターン５０３とスクリーン角の角度差は７度であり、図７（ｂ）が示す結果では、画像中にモアレが発生していることがわかる。これは、スクリーンと装飾パターン５０３とが干渉したために生じている。このようにモアレが発生する程度は、装飾パターンが有する周期性や方向性、スクリーンの線数やスクリーン角等との関係によって異なる。特に、装飾パターンの方向性（角度）とスクリーン角との角度差が小さいとモアレが発生しやすいと言われている。そこで本実施形態では、装飾パターンの方向性とスクリーン角との角度差によって、モアレの発生しやすさを判定する。
【００２７】
図３は、第１の実施形態に適用可能な画像判定装置におけるフローチャートである。前述の通り初期状態では、装飾パターン選択候補を示す画面には装飾パターン候補格納部９に格納された全ての装飾パターンが表示される。
【００２８】
まずステップＳ３０１において、装飾パターン選定部１１は、装飾パターン候補格納部９に格納された装飾パターンの候補を取得する。ステップＳ３０２において、画像形成装置指定部８は画像編集装置で編集した画像データを出力する画像形成装置を指定する。ステップＳ３０３において、スクリーン情報取得部１０は、画像形成装置指定部８により指定された画像形成装置３のプリンタコントローラ部４が有するスクリーン情報格納部１５より、スクリーン角をスクリーン情報として取得する。
【００２９】
ステップＳ３０４において装飾パターン選定部１１は、候補である各装飾パターンと取得したスクリーン情報とに基づき、モアレの発生を判定し、装飾パターンを選定する。ここでは、装飾パターンの角度（方向性）とスクリーン角との角度差によって、原稿モアレの発生程度を判定する。
【００３０】
図４は、各装飾パターンとスクリーンの角度差を示した図である。本実施形態ではモアレが発生し易いと判定する角度差を１０度以下とする。従って、装飾パターン５０３をモアレが発生し易いと判定する。モアレが発生し易い角度差は、任意に設定することができる。図６（ｂ）は、装飾パターンの選定結果を示す。装飾パターン選定部１１は、モアレの判定結果から、装飾パターン５１１，５１２，５１４，５１５，５１６を使用可能な装飾パターンとして選定する。装飾パターン選定部１１は、使用可能な装飾パターンを画面表示部７に表示させるため、選定結果を画面表示部７に出力する。
【００３１】
ステップＳ３０５において、画像表示部７は選定された使用可能な装飾パターンを表示する。図５（ｂ）はステップＳ３０５において画像表示部７に表示された画面である。図５（ｂ）では、５通りの装飾パターンが候補として画面に表示されている。このとき、装飾パターン５０１と５１１、５０２と５１２、５０４と５１４、５０５と５１５、５０６と５１６は、それぞれ同一である。図５（ｂ）において、装飾パターン５１３は、選択できないことを示すため、明示的に点線で囲み図示した。しかしながら、装飾パターン選択候補画面においてモアレが発生するパターンがあることを敢えてユーザーに示す必要はない。そのため、使用可能な装飾パターン５１１、５１２、５１４、５１５、５１６のレイアウトを装飾パターン選択候補画面に自由に再配置してもよい。
【００３２】
ステップＳ３０６において、表示された使用可能な装飾パターンを用いて操作部６により画像編集を行う。ステップＳ３０７においては、画像形成指示部１３は、編集した画像データを画像形成するための指示を画像形成装置３に出力する。ステップＳ３０８において、プリンタコントローラ部は、受け取った画像データを入力画像格納部１４に格納し、スクリーン処理部１６は格納された画像データに対してスクリーン処理を施す。スクリーン処理部はスクリーン情報格納部１５に格納されたスクリーン情報である閾値マトリクスを用いてスクリーン処理をする。このとき用いるスクリーン情報は、ステップＳ３０３で取得されるスクリーン情報と同一のものである。ステップＳ３０９において、スクリーン処理後画像データに従って、記録媒体上に画像を形成する。
【００３３】
以上の方法により、画像編集に用いる装飾パターンが選定され、選定された装飾パターンが画像編集装置における図形を描画するための装飾パターンとして選択可能となる。
【００３４】
以上説明したように、第１の実施形態によれば、装飾パターンを使った画像編集をする際に、画像形成装置による出力画像にモアレの発生が少ないと予測される装飾パターンを利用候補にすることができる。これによりユーザーは、画像編集においてモアレの少ない装飾パターンの中から希望するパターンを選ぶことができる。
【００３５】
［第２の実施形態］
第１の実施形態では、画像編集時の画面において、指定した画像形成装置で出力する際にモアレの発生が大きいと予測される装飾パターンを候補として表示しないことで、モアレの発生を回避した。これは、暗に、モアレの発生が大きいと予測される装飾パターンをユーザーに知らせることにも相当する。
【００３６】
第２の実施形態では、入力された画像データを画像形成装置が出力する際に、モアレの発生が予測される装飾パターンをユーザーに明示する実施形態を説明する。なお、第２の実施形態では、第１の実施形態と主要な機能構成は同じである。第２の実施形態に特徴的な処理フローについて説明する。
【００３７】
図８は、第２の実施形態に適用可能な画像判定装置におけるフローチャートを示す。ステップＳ８０１において、画像表示部７は、装飾パターン候補格納部９に格納された装飾パターンを取得し、画像編集用の装飾パターンの選択候補として画面に表示する。ステップＳ８０２において、表示された装飾パターンを用いて操作部６により画像編集を行う。ステップＳ８０３において画像形成装置指定部８は、画像編集装置において編集された画像データを出力する画像形成装置を指定する。ステップＳ８０４において、画像形成指示部１３は、編集した画像データを画像形成するための指示を画像形成装置に出力する。ステップＳ８０５において、スクリーン情報取得部１０は、指定された画像形成装置３におけるスクリーン情報格納部１５より、スクリーン角を示すスクリーン情報を取得する。ステップＳ８０６において、装飾パターン選定部１１は、編集された画像データ上に使用された装飾パターンとスクリーン情報とに基づき、使用された装飾パターンのモアレの発生程度を判定する。具体的な判定方法は、第１の実施形態と同様の方法とする。装飾パターン選定部１１は、モアレの判定結果を画像表示部７に出力する。
【００３８】
ステップＳ８０７において、画像表示部７はモアレの発生の程度（度合い）に関する情報を画面に表示する。上記程度に関する情報とは、発生の程度を表す数値で示したり、モアレ発生の程度が大きい装飾パターンの周囲を囲ってユーザーに知らせたりする情報のことである。ユーザーが選択した装飾パターンを指定の画像形成装置により出力するとモアレが発生する可能性が高いということを示せればよい。例えば、使用した装飾パターンにいて発生し得るモアレの発生程度をプレビュー画面等に可視化する方法でもよい。また、使用した装飾パターンのうち、モアレが発生する可能性が高いパターンをエラー表示してもよい。
【００３９】
ステップＳ８０８において、装飾パターンを修正するか否かをユーザーもしくはユーザーの設定パラメータに応じて処理を切り替える。ステップＳ８０７で画面に表示されたモアレの発生程度に関する情報に基づいて、装飾パターンを修正するか否かを選択することができる。モアレの発生が懸念される装飾パターンを修正する場合には、ステップＳ８０２へ戻り、別の装飾パターンを使って画像を再度編集する。装飾パターンを修正しない場合は、ステップＳ８０９へ処理を移る。
【００４０】
ステップＳ８０９において、編集した画像データを入力画像格納部１４に格納し、格納された画像データに対してスクリーン処理部１６がスクリーン処理をする。スクリーン処理部１６は、スクリーン情報格納部１５に格納されたスクリーン情報である閾値マトリクスを用いる。このとき用いるスクリーン情報は、ステップＳ８０５で取得されるスクリーン情報と同一のものである。ステップＳ８１０において、プリンタエンジン部５は、スクリーン処理後画像データに従って、記録媒体上に画像を形成する。
【００４１】
ステップＳ３０９において、スクリーン処理後画像データに従って、記録媒体上に画像を形成する。
【００４２】
以上説明したように、第２の実施形態によれば、画像形成装置で出力する前に、モアレの発生が予測される装飾パターンが使用されている場合には、装飾パターンを修正するか否かを任意に選択することができる。
【００４３】
［その他の実施形態］
前述の実施形態では、装飾パターンとスクリーン角の角度差を用いて、モアレを判定した。しかしながらモアレを判定する方法は、これに限らない。例えばスクリーン線数を示すスクリーン情報を含めてモアレの発生程度を判定してもよいし、スクリーン処理を適用した際の画質を仮想的に予測してモアレの発生程度を判定してもよい。
【００４４】
また、モアレの判定に用いるスクリーン情報をスクリーン角としたが、これに限らない。閾値マトリクスのみがスクリーン情報としてスクリーン除法格納部１５に格納され、スクリーン情報取得部１０は閾値マトリクスからスクリーン角を算出する構成でもよい。また、スクリーン情報としてスクリーンの方向性を示すスクリーンベクトルを用いてもよい。
【００４５】
また、前述の実施形態では、装飾パターン選定部１１は画像編集装置側に構成されていた。しかしながら、装飾パターン選定部１１が画像形成装置側に構成されていてもよい。その場合、スクリーン情報取得部１０も画像形成装置側に構成されることになる。具体的には、画像形成装置に入力された画像データに使用されている装飾パターンを検出する。検出された装飾パターンが、画像形成装置が出力可能なスクリーンに変換するためのスクリーン処理によってモアレを発生するかどうかを判定する。判定の結果、モアレの発生がないと判断された場合は、そのまま出力する。一方、モアレが発生すると判断された場合は、エラー表示をするなどして、モアレを発生しうる装飾パターンの使用について警告する。これによりユーザーはこれまでの実施形態と同様に、画像形成装置を変えるか、装飾パターンを修正するか、そのまま出力するかを選択するなど自由に編集をすることができる。さらに、前述の実施例における画像編集装置および画像形成装置のどちらからも独立した構成でもよい。
【００４６】
また、前述の実施形態では、画像形成装置として電子写真方式を用いる構成で説明したが、例えば、ＡＭスクリーンを用いるインクジェット方式、あるいはＤＤＣＰ（ｄｉｒｅｃｔ  ｄｉｇｉｔａｌ  ｃｏｌｏｒ  ｐｒｏｏｆ）等、デジタルデータを直接入力し画像を形成する装置であれば、本発明を同様に適用可能である。
【００４７】
本発明は、上述した実施例の機能を実現するソフトウェアのプログラムコードを記録した記憶媒体を、システム或いは装置に供給することによっても実現できる。この場合、そのシステム或いは装置のコンピュータ（又はＣＰＵやＭＰＵ）がコンピュータが読み取り可能に記憶媒体に格納されたプログラムコードを読み出し実行することにより、上述した実施例の機能を実現する。
【図１】
2013156850.tif 000003
【図２】
2013156850.tif 000004
【図３】
2013156850.tif 000005
【図４】
2013156850.tif 000006
【図６】
2013156850.tif 000007
【図８】
2013156850.tif 000008
【図９】
2013156850.tif 000009
【図５】
2013156850.tif 000010
【図７】
2013156850.tif 000011